(57)【要約】【課題】  使用者に適した運動量の設定ができ、そして収容スペースが小さい遊戯具を提供すること。【解決手段】  各々が電気的エネルギーの付与により発光する光源と、この光源の上に配設された、異物の接触を感知する透明もしくは半透明のセンサとからなる複数個の点灯ユニット、これらの複数個の点灯ユニットの光源に電気的に接続されて、光源に選択的に電気的エネルギーを付与して、各々の光源を予め定められた順に点灯させる駆動装置、そして上記の複数個の点灯ユニットのセンサに電気的に接続されて、各々のセンサの作動を検出して、点灯させた光源とセンサの作動との一致を検出し、判定する判定手段を備えてなる遊戯具。【選択図】        図１
2006263005.tif 000002
【特許請求の範囲】
【請求項１】
各々が電気的エネルギーの付与により点灯する光源と該光源の上に配設された、異物の接触を感知する透明もしくは半透明のセンサとからなる複数個の点灯ユニット、該複数個の点灯ユニットの光源に電気的に接続されて、該光源に選択的に電気的エネルギーを付与して、各々の光源を予め定められた順に点灯させる駆動装置、そして該複数個の点灯ユニットのセンサに電気的に接続されて、各々のセンサの作動を検出して、点灯させた光源とセンサの作動との一致を検出し、判定する判定手段を備えてなる遊戯具。
【請求項２】
複数個の点灯ユニットが、駆動装置が発生する電気エネルギーを光源に伝える電気配線と、センサの作動を判定手段に伝える電気配線とを介して格子状に連結されている請求項１に記載の遊戯具。
【請求項３】
複数個の点灯ユニットが、駆動装置が発生する電気エネルギーを光源に伝える電気配線と、センサの作動を判定手段に伝える電気配線とを介して直線状に連結されている請求項１に記載の遊戯具。
【請求項４】
各々の光源が発光ダイオードもしくはエレクトロルミネッセンス素子である請求項１乃至３のうちのいずれかの項に記載の遊戯具。
【請求項５】
各々のセンサが、表面に電極層を備える下側基板と、表面に電極層を備える可撓性の上側基板とを、各々の電極層が対向するようにしてスペーサを介して積層してなる透明もしくは半透明のスイッチである請求項１乃至４のうちのいずれかの項に記載の遊戯具。
【発明の詳細な説明】
【技術分野】
【０００１】
本発明は、高齢者の運動能力を増進させるために有利に用いることができる遊戯具に関する。
【背景技術】
【０００２】
従来より、病気、怪我あるいは高齢などが原因で低下した運動機能を増進させるために各種の運動器具が用いられている。運動機能がある程度以上に回復するまでは運動の際に大きな疲労や痛みを伴うことが多いため、近年では、運動を継続的に行ない易いゲーム性を有する運動器具（リハビリ遊具とも呼ばれている）が開発されている。
【０００３】
非特許文献１には、キャスター付きのフレームの上部に取り付けられたボード上に、十個の照光スイッチが埋設されたボードゲーム機が開示されている。このボードゲーム機は、点灯したスイッチを所定の時間内に幾つ押せるかというゲームを通して、視覚や上肢の協調運動を促進させるトレーニングを可能とし、老人施設や保健センターなどで有利に使用できるとされている。
【非特許文献１】“リハビリ遊具”、[online]、平成１６年９月２４日、ミナト医科学株式会社、［平成１７年１月３１日検索］、インターネット＜URL : http://www.minato-med.co.jp/seihin2/TOY2.html＞
【発明の開示】
【発明が解決しようとする課題】
【０００４】
上記のボードゲーム機により、例えば、高齢者の運動機能を増進させることができる。しかしながら、高齢者の運動機能の低下の程度はまちまちであり、各々の高齢者の持つ運動能力に応じて、適当な運動量を設定することは難しい。またこのようなボードゲーム機は、使用していない場合に置き場所に困るという別の問題も有している。
【０００５】
本発明の課題は、使用者に適した運動量の設定ができ、そして保管に必要なスペースが小さい遊戯具を提供することにある。
【課題を解決するための手段】
【０００６】
本発明は、各々が電気的エネルギーの付与により点灯する光源と、この光源の上に配設された、異物の接触を感知する透明もしくは半透明のセンサとからなる複数個の点灯ユニット、これらの複数個の点灯ユニットの光源に電気的に接続されて、光源に選択的に電気的エネルギーを付与して、各々の光源を予め定められた順に点灯させる駆動装置、そして上記の複数個の点灯ユニットのセンサに電気的に接続されて、各々のセンサの作動を検出して、点灯させた光源とセンサの作動との一致を検出し、判定する判定手段を備えてなる遊戯具にある。
【０００７】
本発明の遊戯具の好ましい態様は、下記の通りである。
（１）複数個の点灯ユニットが、駆動装置が発生する電気的エネルギーを光源に伝える電気配線とセンサの作動を判定手段に伝える電気配線とを介して格子状に連結されている。
（２）複数個の点灯ユニットが、駆動装置が発生する電気的エネルギーを光源に伝える電気配線とセンサの作動を判定手段に伝える電気配線とを介して直線状に連結されている。
（３）各々の光源が発光ダイオードもしくはエレクトロルミネッセンス素子である。
（４）各々のセンサが、表面に電極層を備える下側基板と、表面に電極層を備える可撓性の上側基板とを、各々の電極層が対向するようにしてスペーサを介して積層してなる透明もしくは半透明のスイッチである。
【発明の効果】
【０００８】
本発明の遊戯具は、その複数個の点灯ユニットの配置（例えば、隣接する点灯ユニットの間隔）を、使用者（例えば、高齢者）がその運動能力に応じた適当な運動量で運動することができるように容易に変更することができる。また本発明の遊戯具は、使用をしていない場合に複数個の点灯ユニットを積み重ねておくことができるので、保管に必要なスペースが小さくて良い。このため本発明の遊戯具は、特に老人ホームや家庭などのスペースに限りがある場所において、高齢者の運動能力を増進させるために有利に用いることができる。
【発明を実施するための最良の形態】
【０００９】
本発明の遊戯具を、添付の図面を用いて説明する。図１は、本発明の遊戯具の構成例を示す斜視図である。
【００１０】
図１の遊戯具１０は、各々が電気的エネルギーの付与により点灯する光源と、この光源の上に配設された、異物の接触を感知する透明なセンサとからなる複数個の点灯ユニット（例えば、点灯ユニット１１から点灯ユニット１９までの合計で九個の点灯ユニット）、これらの複数個の点灯ユニットの光源に電気的に接続されて、光源に選択的に電気的エネルギーを付与して、各々の光源を予め定められた順に点灯させる駆動装置２１、そして上記の複数個の点灯ユニットのセンサに電気的に接続されて、各々のセンサの作動を検出して、点灯させた光源とセンサの作動との一致を検出し、判定する判定手段などから構成されている。図１の遊戯具１０の駆動装置２１には、上記の判定手段が内蔵されている。
【００１１】
複数個の点灯ユニットのそれぞれは、例えば、その上面が一辺が１２０ｃｍ程度の略正方形の形状にされ、そして厚みが６ｍｍ程度に設定される。これらの点灯ユニットは、例えば、床やテーブルなどの上に並べて配置される。
【００１２】
そして図１に示すように、遊戯具１０の九個の点灯ユニットは、連結ケーブル５１から連結ケーブル５９まで、そして連結ケーブル６１から連結ケーブル６９までを用いて格子状に連結されている。そして各々の連結ケーブルは、それぞれ二本の電気配線を内包しており、そのうちの一方は駆動装置２１が発生する電気的エネルギーを光源に伝える電気配線であり、他方はセンサの作動を駆動装置２１に内蔵されている判定手段に伝える電気配線である。すなわち複数個の点灯ユニットは、駆動装置が発生する電気的エネルギーを光源に伝える電気配線（以下、駆動用電気配線という）と、センサの作動を判定手段に伝える電気配線（以下、センサ用電気配線という）とを介して格子状に連結されている。
【００１３】
上記の連結ケーブル５１の駆動用電気配線は、点灯ユニット１１を介して連結ケーブル５２の駆動用電気配線に、そして点灯ユニット１２を介して連結ケーブル５３の駆動用電気配線に電気的に接続されている。同様に、連結ケーブル５４の駆動用電気配線は、連結ケーブル５５の駆動用電気配線と連結ケーブル５６の駆動用電気配線とに電気的に接続され、そして連結ケーブル５７の駆動用電気配線は、連結ケーブル５８の駆動用電気配線と連結ケーブル５９の駆動用電気配線とに電気的に接続されている。
【００１４】
また、駆動用電気配線の場合と同様に、連結ケーブル５１のセンサ用電気配線は、連結ケーブル５２のセンサ用電気配線と連結ケーブル５３のセンサ用電気配線とに電気的に接続され、連結ケーブル５４のセンサ用電気配線は、連結ケーブル５５のセンサ用電気配線と連結ケーブル５６のセンサ用電気配線とに電気的に接続され、そして連結ケーブル５７のセンサ用電気配線は、連結ケーブル５８のセンサ用電気配線と連結ケーブル５９のセンサ用電気配線とに電気的に接続されている。
【００１５】
一方、連結ケーブル６１の駆動用電気配線は、点灯ユニット１１を介して連結ケーブル６４の駆動用電気配線に、そして点灯ユニット１４を介して連結ケーブル６７の駆動用電気配線に電気的に接続されている。同様に、連結ケーブル６２の駆動用電気配線は、連結ケーブル６５の駆動用電気配線と連結ケーブル６８の駆動用電気配線とに電気的に接続され、そして連結ケーブル６３の駆動用電気配線は、連結ケーブル６６の駆動用電気配線と連結ケーブル６９の駆動用電気配線とに電気的に接続されている。
【００１６】
また、駆動用電気配線の場合と同様に、連結ケーブル６１のセンサ用電気配線は、連結ケーブル６４のセンサ用電気配線と連結ケーブル６７のセンサ用電気配線とに電気的に接続され、連結ケーブル６２のセンサ用電気配線は、連結ケーブル６５のセンサ用電気配線と連結ケーブル６８のセンサ用電気配線とに電気的に接続され、そして連結ケーブル６３のセンサ用電気配線は、連結ケーブル６６のセンサ用電気配線と連結ケーブル６９のセンサ用電気配線とに電気的に接続されている。
【００１７】
そして駆動装置２１により、例えば、連結ケーブル５１及び連結ケーブル６１が持つ合計で四本の電気配線を用いて、そのうちの合計で二本の駆動用電気配線の間に電気的エネルギーを供給すると、点灯ユニット１１の内部にある光源は電気的エネルギーが付与されて点灯し、そして点灯ユニット１１の発光領域２０が発光する。一方、上記の四本の電気配線のうち、残りの二本のセンサ用電気配線の間に電気的エネルギーを供給すると、点灯ユニット１１の内部にあるセンサに電気的エネルギーが付与される。同様にして駆動装置２１により、例えば、連結ケーブル５４及び連結ケーブル６２を用いて電気的エネルギーを供給すると、点灯ユニット１５の発光領域２０が発光し、そして点灯ユニット１５の内部にあるセンサに電気的エネルギーが付与される。
【００１８】
このように、図１の遊戯具１０の駆動装置２１は、電気的エネルギーを供給する連結ケーブルを選定して、複数個の点灯ユニットの光源に選択的に電気的エネルギーを付与することを繰り返すことにより、各々の光源を予め定められた順に点灯させる。一方、光源を点灯させた際には、各々のセンサに二本のセンサ用電気配線を介して電気的エネルギーが付与される。そして、使用者が光源ユニットの表面を手で押すなどすると、前記のセンサが手（異物）の接触を感知して作動して、センサ用電気配線間の電圧の値（あるいはセンサ用電気配線に流れる電流の値）が変動する。そして駆動装置２１に内蔵されている判定手段は、前記の電圧値（あるいは電流値）の変動量からセンサの作動を検出し、点灯させた光源とセンサの作動との一致を検出し、そして判定を行なう。
【００１９】
次に、図１の遊戯具１０の動作及び使用方法（遊び方）について説明する。先ず、各々の点灯ユニットを床やテーブルなどの上に並べて配置する。そして並べた九個の点灯ユニットを、連結ケーブルを用いて駆動装置２１に電気的に接続する。
【００２０】
そして駆動装置２１を作動させると、複数個の点灯ユニットの光源が予め定められた順に点灯し、これに従い点灯ユニットの発光領域２０が順に発光する。複数個の点灯ユニットの光源を点灯させる順番に特に制限はないが、例えば、光源を無作為に一個ずつ（あるいは点灯ユニットの総個数以下の複数個ずつ）順に点灯させていく。遊戯具は、使用者や管理者が、遊戯具を使用する前に光源を点灯させる順番を決めて、この順番を駆動装置に入力、そして記憶できるように構成しても良い。
【００２１】
そして遊戯具１０を使用する者、例えば、高齢者は、光源が点灯している点灯ユニットの上面にある発光領域２０を順に手（あるいは棒などの道具）で押していく。この際に、光源が点灯している間に点灯ユニットの発光領域が押された場合には、この点灯ユニットのセンサが異物（手あるいは棒などの道具）の接触を感知して作動する。そして駆動装置２１に内蔵されている判定手段は、例えば、点灯ユニットの光源が点灯している間にセンサが作動したか否か、すなわち点灯させた光源とセンサの作動との一致を検出する。
【００２２】
判定手段は、例えば、点灯させた光源とセンサの作動とが一致している場合には正解、そして不一致の場合には不正解と判定して、表示装置（図示は略する）に正解した回数（あるいは得点）を表示するか、あるいは音を鳴らすなどして使用者に正解及び不正解のいずれであったかを示す。
【００２３】
このような構成の遊戯具１０を用いることにより、使用者（例えば、高齢者）はその運動能力に応じた適当な運動量で運動することができるようになる。例えば、使用者が運動能力が低い高齢者の場合には、複数個の点灯ユニットを密集させて配置して、高齢者があまり動かなくとも光源ユニットを押せるようにしておく、すなわち高齢者の運動量は小さくなる。そして遊戯具の使用を継続することにより高齢者の運動能力が高められた場合には、複数個の点灯ユニットを互いの間隔を広げて配置して、高齢者がある程度は動かなければ光源ユニットを押せないようにしておく、すなわち高齢者の運動量は大きくなる。なお、複数個の点灯ユニットの隣接する点灯ユニットの間隔は、連結ケーブルを長さの異なるものと交換して調節するか、あるいは予め長さの長い連結ケーブルで連結しておき、隣接する点灯ユニットを置く位置を変えて調節すれば良い。
【００２４】
また、この遊戯具１０は、使用していない時には連結ケーブルを取り外して、複数個の点灯ユニットを積み重ねておくことができるので保管に必要なスペースが小さい。
【００２５】
このように、本発明の遊戯具は、使用者に適した運動量の設定ができ、そして保管に必要なスペースが小さいため、特に老人ホームや家庭などのスペースに限りがある場所において、高齢者の運動能力を増進させるために有利に用いることができる。
【００２６】
次に、図１の遊戯具１０が備える点灯ユニットの内部構造について説明する。遊戯具１０が備える九個の点灯ユニットとしては、互いに同一の構成のものが用いられている。以下、点灯ユニット１５を代表例として、その内部構造について説明する。
【００２７】
図２は、図１に記入した切断II−II線に沿って切断した点灯ユニット１５の断面図である。点灯ユニット１５は、基台２２、基台２２の上に配設されたプリント配線フィルム２３、プリント配線フィルム２３の表面に装着された光源２４、プリント配線フィルム２３の上に積層されたスペーサ２５及び拡散板２６、拡散板２６の表面に接着層２７を介して固定されている、光源２４の上方に配置された透明なセンサ２８、そして透明センサ２８の表面にフィルムスペーサ２９を介して積層された保護フィルム３０などから構成されており、その総厚が約６．３ｍｍになるように設計されている。
【００２８】
基台２２は、例えば、ポリエステル樹脂から形成され、その厚みは１ｍｍ程度に設定されている。この基台２２の上に配設されるプリント配線フィルム２３としては、例えば、厚みが１００μｍ程度のポリエチレンテレフタレートフィルムの表面に、銅ペーストなどを印刷して形成した薄膜状の電気配線が付設されたものが用いられる。そしてプリント配線フィルム２３の表面には光源２４が装着され、この光源はプリント配線フィルムが備える電気配線に電気的に接続されている。
【００２９】
光源２４としては、例えば、小型の発光ダイオード（チップＬＥＤとも呼ばれている）が用いられている。光源としては、上記の発光ダイオードの他に、小型の電球、あるいはエレクトロルミネッセンス素子（特に、有機エレクトロルミネッセンス素子）などを用いることができる。小サイズで低消費電力であり、そして発光色の選定が容易であることから、光源としては、発光ダイオードもしくはエレクトロルミネッセンス素子を用いることが好ましい。
【００３０】
プリント配線フィルム２３の上に積層されたスペーサ２５は、例えば、ポリ塩化ビニル樹脂から形成され、その厚みは４ｍｍ程度に設定されている。スペーサ２５の上に積層された拡散板２６としては、例えば、内部にガラスビーズが分散されている、厚みが５００μｍ程度のポリカーボネート樹脂フィルムが用いられている。拡散板２６は、光源２４として用いる発光ダイオードの発光を拡散して、点灯ユニット１５の発光領域２０における発光の輝度を均一にするために用いられている。そして拡散板２６の表面には、例えば、ポリエステル樹脂から形成されている、厚みが７５μｍ程度の接着層２７を介して、透明なセンサ２８が固定されている。
【００３１】
透明センサ２８としては、表面に電極層３１を備える下側基板３２と、表面に電極層３３を備える可撓性の上側基板３４とが、各々の電極層が対向するようにしてスペーサ３５を介して積層された構成の透明なスイッチが用いられている。
【００３２】
透明センサ２８の下側基板３２及び上側基板３４のそれぞれとしては、厚みが１２５μｍ程度のポリエチレンテレフタレートフィルムが用いられている。またスペーサ３５は、厚みが７５μｍ程度のポリエチレンテレフタレートフィルムから形成されている。
【００３３】
また、電極層３１、３３のそれぞれは、例えば、錫ドープ酸化インジウム（ＩＴＯ）、あるいは亜鉛ドープ酸化インジウム（ＩＺＯ）などの透明導電性材料から形成される。各々の電極層は、例えば、スパッタ法、あるいは印刷法により形成することができる。また、各々の電極層としては、点灯ユニット１５の発光領域２０にて光源２４の発光を視認することができれば、例えば、銅や銀などの金属薄膜を網状のパターンで形成した電極層を用いることもできる。なお、電極層３１の表面に付設されたドットスペーサ３６は、例えば、ポリエステル樹脂から形成され、透明スイッチが不用意に作動することを防止するためのものである。
【００３４】
また、点灯ユニットのセンサとしては、半透明のセンサ、例えば、光源の発光色を変換するために、上記の透明スイッチの上側基板あるいは下側基板として着色半透明のフィルムが用いられた半透明のスイッチ、あるいは光源の発光を拡散させるために、上記の透明スイッチの上側基板あるいは下側基板としてガラスビーズが分散された乳白色のフィルムが用いられた半透明のスイッチを用いることもできる。
【００３５】
そして透明センサ２８の表面には、例えば、厚みが７５ｍｍ程度のポリエチレンテレフタレートフィルムから形成されたフィルムスペーサ２９、そして厚みが１２５ｍｍ程度のポリエチレンテレフタレートフィルムから形成された保護フィルム３０が積層されている。保護フィルム３０は、点灯ユニット１５の発光領域２０を設定するために、その裏面の上記発光領域２０に対応する領域以外の領域が、例えば、印刷により黒色に着色されている。
【００３６】
この保護フィルム３０の表面もしくは裏面の発光領域２０に対応する領域に、ガラスビーズを含有する透明なインキを印刷すると、光源が発生した光をさらに拡散させ、発光領域において更に均一な輝度の発光が得られるようになる。また、保護フィルム３０として、例えば、光源の発光色を変換する着色半透明のフィルム、あるいは光源の発光を拡散させる、ガラスビーズが分散された乳白色のフィルムを用いることもできる。
【００３７】
一方、基台２２の表面に配設されたプリント配線フィルム２３には、連結ケーブル６５の端部に備えられた接続プラグを差し込むためのジャック６５ｃ、そして連結ケーブル６８の端部に備えられた接続プラグを差し込むためのジャック６８ｃが備えられている。
【００３８】
連結ケーブル６５の駆動用電気配線は、リード用電気配線６５ａ、そしてプリント配線フィルム２３の表面にプリントされた電気配線を介して光源２４として用いる発光ダイオードの正極に電気的に接続されている。また、連結ケーブル６５の駆動用電気配線は、リード用電気配線６５ａ、そしてプリント配線フィルム２３の表面にプリントされた電気配線、そしてリード用電気配線６８ａを介して連結ケーブル６８の駆動用電気配線に電気的に接続されている。
【００３９】
同様に、図１に示す連結ケーブル５５の駆動用電気配線は、リード用電気配線やプリント配線フィルムの電気配線などを介して、点灯ユニット１５の光源の負極と連結ケーブル５６の駆動用電気配線とにそれぞれ電気的に接続されている。
【００４０】
一方、図２示すように、連結ケーブル６５のセンサ用電気配線は、リード用電気配線６５ｂ、そしてプリント配線フィルム２３の表面にプリントされた電気配線、そしてリード用電気配線２８ｂを介してセンサ２８の電極層３１に電気的に接続されている。また、連結ケーブル６５のセンサ用電気配線は、リード用電気配線６５ｂ、そしてプリント配線フィルム２３の表面にプリントされた電気配線、そしてリード用の電気配線６８ｂを介して連結ケーブル６８のセンサ用電気配線に電気的に接続されている。
【００４１】
同様に、図１に示す連結ケーブル５５のセンサ用電気配線は、リード用電気配線やプリント配線フィルムの電気配線などを介して、点灯ユニット１５のセンサの電極（図２：３３）と連結ケーブル５６のセンサ用電気配線に電気的に接続されている。
【００４２】
上記のように、遊戯具１０の使用者が図２の点灯ユニット１５の発光領域２０を押すと、透明センサ２８の上側基板３４が湾曲して電極層３１及び電極層３３とが互いに接触して電気的に接続される。これにより電極層３１及び電極層３３の間の電圧の値（あるいは電極層を流れる電流の値）が変動する。上記のように、この電圧値（あるいは電流値）の変動量は、連結ケーブルや点灯ユニットを介して駆動装置２１に内蔵されている判定手段へと伝えられる。
【００４３】
図３は、点灯ユニットの別の構成例を示す断面図である。図３の点灯ユニット４０の構成は、プリント配線フィルム２３の表面に複数個の光源４１が環状に配置されて装着され、その中央に、例えば、アクリル板から形成された導光板４２が設置されていること以外は図２の点灯ユニット１０と同様である。導光板４２を用いると、点灯ユニット４０の発光領域２０の内側をより均一な輝度で発光させることができる。
【００４４】
図４は、点灯ユニットのさらに別の構成例を示す断面図である。図４の点灯ユニット５０の光源４３としては、例えば、ガラス基板などの透明基板４４の表面に、錫ドープ酸化インジウムから形成された透明陽電極層４５、ＮＰＤ（Ｎ，Ｎ’−ジ（ナフタレン−１−イル）−Ｎ，Ｎ’−ジフェニルベンジジン）から形成された正孔輸送層４６、Ａｌｑ3 （トリス−（８−ヒドロキシキノリン）アルミニウム）から形成された有機発光材料層４７、そしてＭｇ−Ａｇ合金から形成された陰電極層４８を積層し、そして封止用のガラスキャップ４９をアクリル樹脂などの低透湿性の樹脂を用いて接着して作製された有機エレクトロルミネッセンス素子が用いられている。有機エレクトロルミネッセンス素子は、その透明基板４４の側の面が接着層２７を介して透明センサ２８に接着され固定されている。
【００４５】
図４の点灯ユニット５０の構成は、光源４３として有機エレクトロルミネッセンス素子が用いられ、そして拡散板（図２：２６）が用いられていないこと以外は図２の点灯ユニット１５と同様である。
【００４６】
光源４３として有機エレクトロルミネッセンス素子を用いると、点灯ユニット５０の厚みを薄くすることができ、また発光領域２０の内側をより均一な輝度で発光させることができる。
【００４７】
有機エレクトロルミネッセンス素子は、例えば、携帯型電話機の表示装置を構成する発光素子として既に知られているものであり、その構成や材料については数多くの文献（例、「有機ＬＥＤ素子の残された研究課題と実用化戦略」（ぶんしん出版、１９９９年）及び「光・電子機能有機材料ハンドブック」（朝倉書店、１９９７年）など）に記載されているため、詳しい説明は省略する。
【００４８】
図５は、本発明の遊戯具の別の構成例を示す平面図である。図５の遊戯具７０は、三個の点灯ユニット７１、判定手段を内蔵する駆動装置７２、そしてこれらを連結する連結ケーブル７３から構成されている。このように本発明の遊戯具においては、複数個の点灯ユニットが、駆動装置が発生する電気的エネルギーを光源に伝える電気配線と、センサの作動を判定手段に伝える電気配線とを介して直線状に連結されていても良い。また、図５に示すように、遊戯具７０には、連結ケーブル７３ａにより直線状に連結された複数個の点灯ユニット７１ａがさらに備えられていても良い。
【００４９】
遊戯具を、その複数個の点灯ユニットが直線状に連結される構成にすると、複数個の点灯ユニットを連結ケーブルを用いて連結する作業が容易となる。
【００５０】
このような遊戯具の複数個の点灯ユニットの光源に、駆動装置により選択的に電気的エネルギーを供給するためには、例えば、各々の点灯ユニットを、各点灯ユニットに固有の番号を記憶する記憶手段と、そして駆動装置から点灯させる光源を備える光源ユニットの番号に対応する電気信号が送られてきた際に、それが自己の持つ固有の番号と一致している場合に自己の光源を点灯させる駆動補助回路とを内蔵した構成にすれば良い。
【００５１】
上記のように、遊戯具をその複数個の点灯ユニットが直線状に連結される構成とすると、図６の遊戯具８０に示すように複数個の点灯ユニット７１を二次元的に配置したり、あるいは図７の遊戯具９０に示すように複数個の点灯ユニット７１を弧状に配置したりすることができるようになるなど、使用者の運動能力に応じて複数個の点灯ユニットの配置を変更することが容易になる。
【００５２】
なお、本発明の遊戯具において、複数個の点灯ユニットの光源と駆動装置との電気的な接続、あるいは複数個の点灯ユニットのセンサと判定手段との電気的な接続には、無線による接続が含まれる。無線による電磁波を用いて各々の点灯ユニットの光源に電気的エネルギーを付与したり、無線により各々の点灯ユニットのセンサの作動を検出したりすると連結ケーブルが不要になり、また複数個の点灯ユニットの配置を使用者の運動能力に合わせて変更することが極めて容易になる。
【００５３】
また、各々の点灯ユニットの内部に、光源として互いに異なる色で発光する複数個の発光ダイオードもしくは有機エレクトロルミネッセンス素子を配設して、各々の点灯ユニットの発光領域を任意の色に発光させることもできる。これによって、例えば、遊戯具の各々の点灯ユニットの発光領域を、例えば、赤色、緑色、あるいは青色に発光させ、そして赤色に点灯した場合にのみ発光領域を押すというような使用方法（遊び方）も可能になる。
【図面の簡単な説明】
【００５４】
【図１】本発明の遊戯具の構成例を示す斜視図である。
【図２】図１に記入した切断II−II線に沿って切断した、遊戯具が備える点灯ユニット１５の断面図である。
【図３】本発明の遊戯具が備える点灯ユニットの別の構成例を示す断面図である。
【図４】本発明の遊戯具が備える点灯ユニットのさらに別の構成例を示す断面図である。
【図５】本発明の遊戯具の別の構成例を示す平面図である。
【図６】本発明の遊戯具のさらに別の構成例を示す平面図である。
【図７】本発明の遊戯具のさらに別の構成例を示す平面図である。
【符号の説明】
【００５５】
１０  遊戯具
１１、１２、１３、１４、１５、１６、１７、１８、１９  点灯ユニット
２０  発光領域
２１  判定手段付き駆動装置
２２  基台
２３  プリント配線フィルム
２４  光源
２５  スペーサ
２６  拡散板
２７  接着層
２８  透明センサ
２８ａ、２８ｂ  リード用電気配線
２９  フィルムスペーサ
３０  保護フィルム
３１、３３  電極層
３２  下側基板
３４  上側基板
３５  スペーサ
３６  ドットスペーサ
４０  点灯ユニット
４１  光源
４２  導光板
４３  光源
４４  透明基板
４５  透明陽電極層
４６  正孔輸送層
４７  有機発光材料層
４８  陰電極層
４９  封止用ガラスキャップ
５０  点灯ユニット
５１、５２、５３、５４、５５、５６、５７、５８、５９  連結ケーブル
６１、６２、６３、６４、６５、６６、６７、６８、６９  連結ケーブル
６５ａ、６５ｂ  リード用電気配線
６５ｃ  ジャック
６８ａ、６８ｂ  リード用電気配線
６８ｃ  ジャック
７０、８０、９０  遊戯具
７１、７１ａ  点灯ユニット
７２  駆動装置
７３、７３ａ  連結ケーブル
【図１】
2006263005.tif 000003
【図２】
2006263005.tif 000004
【図３】
2006263005.tif 000005
【図４】
2006263005.tif 000006
【図５】
2006263005.tif 000007
【図６】
2006263005.tif 000008
【図７】
2006263005.tif 000009